【手続補正書】
【提出日】平成28年5月20日(2016.5.20)
【手続補正１】
【補正対象書類名】明細書
【補正対象項目名】０００７
【補正方法】変更
【補正の内容】
【０００７】
驚くべきことに、下記の態様１に記載のポリマーが上記の目的を達成することを見出した。これは、低い粘度及び優れた保存安定性を有し、かつ水分の影響の下で素早く硬化して良好な強度、伸張性、及び熱抵抗を有する弾性材料を形成する。驚くべきことに、このポリマーは、イソシアネート基含有ポリマーと、１つの第２級ＯＨ基を含む特定のヒドロキシシランとから出発する簡単な方法によって選択的に調製することができる。
本発明のさらなる態様は、追加の独立的態様の主題である。本発明の特に好ましい実施態様は、従属的態様の主題である。
本発明の態様としては、以下の態様を挙げることができる：
《態様１》
イソシアネート基を含まない次の式（Ｉ）の末端基を有するポリマー：
【化１】
2015525253.tif 000001
（式中、
Ｒ１及びＲ２は、
それぞれ独立して、エーテルの酸素、チオエーテルの硫黄、又は第三級アミンの窒素の形態でヘテロ原子を有していてもよい、１〜１２個のＣ原子を有するアルキル基を表し；
又は
それらが合わさって、エーテルの酸素、チオエーテルの硫黄、又は第三級アミンの窒素の形態でヘテロ原子を有していてもよい、２〜１２個のＣ原子を有するアルキレン基を表し；
Ｒ３は、芳香族部分を有していてもよく、１個以上のヘテロ原子を有していてもよい、１〜１２個のＣ原子を有する直鎖若しくは分岐鎖のアルキレン基又はシクロアルキレン基を表し；
Ｒ４は、１〜６個のＣ原子を有するアルキル基を表し；
Ｒ５は、エーテルの酸素を有していてもよい、１〜１０個のＣ原子を有するアルキル基を表し；かつ
ｘは、０又は１を表す）。
《態様２》
Ｒ１及びＲ２が、それぞれ独立して１つ若しくは２つのエーテルの酸素を有していてもよい、３〜１０個のＣ原子を有するアルキル基を表わすか、又は
Ｒ１及びＲ２が合わさって、エーテルの酸素若しくはチオエーテルの硫黄の形態で１つのヘテロ原子を有していてもよい、４〜８個のＣ原子を有するアルキレン基を表わし、それにより窒素原子を含んで５員環、６員環、又は７員環を形成している、態様１に記載のポリマー。
《態様３》
Ｒ３が、１〜６個のＣ原子を有する直鎖又は分岐鎖のアルキレン基を表わす、態様１又は２に記載のポリマー。
《態様４》
ｘがゼロである、態様１〜３のいずれか一項に記載のポリマー。
《態様５》
１０００〜３０，０００ｇ／ｍｏｌの範囲の分子量を有する、態様１〜４のいずれか一項に記載のポリマー。
《態様６》
大部分がポリオキシアルキレン単位から構成されている、態様１〜５のいずれか一項に記載のポリマー。
《態様７》
式（Ｉ）の前記末端基の大部分が、脂環式基に結合している、態様１〜６のいずれか一項に記載のポリマー。
《態様８》
１〜４個の式（Ｉ）の末端基を有する、態様１〜７のいずれか一項に記載のポリマー。
《態様９》
態様１〜８のいずれか一項に記載のポリマーの少なくとも１種を、水分と反応させることによって得られる架橋したプラスチック。
《態様１０》
以下の式（ＩＩ）のヒドロシランの少なくとも１種と、イソシアネート基含有ポリウレタンの少なくとも１種とを反応させることを特徴とする、態様１〜８のいずれか一項に記載のポリマーの製造方法：
【化２】
2015525253.tif 000002
（式中、
Ｒ１及びＲ２は、
それぞれ独立して、エーテルの酸素、チオエーテルの硫黄、又は第三級アミンの窒素の形態でヘテロ原子を有していてもよい、１〜１２個のＣ原子を有するアルキル基を表し；
又は
それらが合わさって、エーテルの酸素、チオエーテルの硫黄、又は第三級アミンの窒素の形態でヘテロ原子を有していてもよい、２〜１２個のＣ原子を有するアルキレン基を表し；
Ｒ３は、芳香族部分を有していてもよく、１個以上のヘテロ原子を有していてもよい、１〜１２個のＣ原子を有する直鎖若しくは分岐鎖のアルキレン基又はシクロアルキレン基を表し；
Ｒ４は、１〜６個のＣ原子を有するアルキル基を表し；
Ｒ５は、エーテルの酸素を有していてもよい、１〜１０個のＣ原子を有するアルキル基を表し；かつ
ｘは、０又は１を表す）。
《態様１１》
以下の式（ＩＶ）のエポキシシランの少なくとも１種と、以下の式（Ｖ）のアミンの少なくとも１種とを、対応するアルコールＨＯＲ５の沸点よりも５℃高い温度を超えない温度で、反応させることによって得られる、反応生成物であって：
【化３】
2015525253.tif 000003
少なくとも８０ｗｔ％の以下の式（ＩＩ）のヒドロキシシランの含量を含むことを特徴とする、反応生成物：
【化４】
2015525253.tif 000004
（式中、
Ｒ１及びＲ２は、
それぞれ独立して、エーテルの酸素、チオエーテルの硫黄、又は第三級アミンの窒素の形態でヘテロ原子を有していてもよい、１〜１２個のＣ原子を有するアルキル基を表し；
又は
それらが合わさって、エーテルの酸素、チオエーテルの硫黄、又は第三級アミンの窒素の形態でヘテロ原子を有していてもよい、２〜１２個のＣ原子を有するアルキレン基を表し；
Ｒ３は、芳香族部分を有していてもよく、１個以上のヘテロ原子を有していてもよい、１〜１２個のＣ原子を有する直鎖若しくは分岐鎖のアルキレン基又はシクロアルキレン基を表し；
Ｒ４は、１〜６個のＣ原子を有するアルキル基を表し；
Ｒ５は、エーテルの酸素を有していてもよい、１〜１０個のＣ原子を有するアルキル基を表し；かつ
ｘは、０又は１を表す）。
《態様１２》
以下の式（ＩＩＩ）を有するイソシアナートシラン：
【化５】
2015525253.tif 000005
（式中、
Ｒ１及びＲ２は、
それぞれ独立して、エーテルの酸素、チオエーテルの硫黄、又は第三級アミンの窒素の形態でヘテロ原子を有していてもよい、１〜１２個のＣ原子を有するアルキル基を表し；
又は
それらが合わさって、エーテルの酸素、チオエーテルの硫黄、又は第三級アミンの窒素の形態でヘテロ原子を有していてもよい、２〜１２個のＣ原子を有するアルキレン基を表し；
Ｒ３は、芳香族部分を有していてもよく、１個以上のヘテロ原子を有していてもよい、１〜１２個のＣ原子を有する直鎖若しくは分岐鎖のアルキレン基又はシクロアルキレン基を表し；
Ｒ４は、１〜６個のＣ原子を有するアルキル基を表し；
Ｒ５は、エーテルの酸素を有していてもよい、１〜１０個のＣ原子を有するアルキル基を表し；
Ｒ６は、４〜１６個のＣ原子を有する二価の炭化水素基を表わし；かつ
ｘは、０又は１を表す）。
《態様１３》
態様１〜８のいずれか一項に記載のポリマーの少なくとも１種と、追加成分とを含む、水分硬化性組成物。
《態様１４》
弾性接着剤及び／又は弾性シーラントとしての、態様１３に記載の水分硬化性組成物の使用。
《態様１５》
態様１３に記載の組成物と水分とを用いて硬化させて得られる、硬化した組成物。
【手続補正２】
【補正対象書類名】特許請求の範囲
【補正対象項目名】全文
【補正方法】変更
【補正の内容】
【特許請求の範囲】
【請求項１】
イソシアネート基を含まない次の式（Ｉ）の末端基を有するポリマー：
【化６】
2015525253.tif 000006
（式中、
Ｒ１及びＲ２は、
それぞれ独立して、エーテルの酸素、チオエーテルの硫黄、又は第三級アミンの窒素の形態でヘテロ原子を有していてもよい、１〜１２個のＣ原子を有するアルキル基を表し；
又は
それらが合わさって、エーテルの酸素、チオエーテルの硫黄、又は第三級アミンの窒素の形態でヘテロ原子を有していてもよい、２〜１２個のＣ原子を有するアルキレン基を表し；
Ｒ３は、芳香族部分を有していてもよく、１個以上のヘテロ原子を有していてもよい、１〜１２個のＣ原子を有する直鎖若しくは分岐鎖のアルキレン基又はシクロアルキレン基を表し；
Ｒ４は、１〜６個のＣ原子を有するアルキル基を表し；
Ｒ５は、エーテルの酸素を有していてもよい、１〜１０個のＣ原子を有するアルキル基を表し；かつ
ｘは、０又は１を表す）。
【請求項２】
Ｒ１及びＲ２が、それぞれ独立して１つ若しくは２つのエーテルの酸素を有していてもよい、３〜１０個のＣ原子を有するアルキル基を表わすか、又は
Ｒ１及びＲ２が合わさって、エーテルの酸素若しくはチオエーテルの硫黄の形態で１つのヘテロ原子を有していてもよい、４〜８個のＣ原子を有するアルキレン基を表わし、それにより窒素原子を含んで５員環、６員環、又は７員環を形成している、請求項１に記載のポリマー。
【請求項３】
Ｒ３が、１〜６個のＣ原子を有する直鎖又は分岐鎖のアルキレン基を表わす、請求項１又は２に記載のポリマー。
【請求項４】
ｘがゼロである、請求項１〜３のいずれか一項に記載のポリマー。
【請求項５】
１０００〜３０，０００ｇ／ｍｏｌの範囲の分子量を有する、請求項１〜４のいずれか一項に記載のポリマー。
【請求項６】
大部分がポリオキシアルキレン単位から構成されている、請求項１〜５のいずれか一項に記載のポリマー。
【請求項７】
式（Ｉ）の前記末端基の大部分が、脂環式基に結合している、請求項１〜６のいずれか一項に記載のポリマー。
【請求項８】
１〜４個の式（Ｉ）の末端基を有する、請求項１〜７のいずれか一項に記載のポリマー。
【請求項９】
請求項１〜８のいずれか一項に記載のポリマーの少なくとも１種を、水分と反応させることによって得られる架橋したプラスチック。
【請求項１０】
以下の式（ＩＩ）のヒドロシランの少なくとも１種と、イソシアネート基含有ポリウレタンの少なくとも１種とを反応させることを特徴とする、請求項１〜８のいずれか一項に記載のポリマーの製造方法：
【化７】
2015525253.tif 000007
（式中、
Ｒ１及びＲ２は、
それぞれ独立して、エーテルの酸素、チオエーテルの硫黄、又は第三級アミンの窒素の形態でヘテロ原子を有していてもよい、１〜１２個のＣ原子を有するアルキル基を表し；
又は
それらが合わさって、エーテルの酸素、チオエーテルの硫黄、又は第三級アミンの窒素の形態でヘテロ原子を有していてもよい、２〜１２個のＣ原子を有するアルキレン基を表し；
Ｒ３は、芳香族部分を有していてもよく、１個以上のヘテロ原子を有していてもよい、１〜１２個のＣ原子を有する直鎖若しくは分岐鎖のアルキレン基又はシクロアルキレン基を表し；
Ｒ４は、１〜６個のＣ原子を有するアルキル基を表し；
Ｒ５は、エーテルの酸素を有していてもよい、１〜１０個のＣ原子を有するアルキル基を表し；かつ
ｘは、０又は１を表す）。
【請求項１１】
以下の式（ＩＩＩ）を有するイソシアナートシラン：
【化８】
2015525253.tif 000008
（式中、
Ｒ１及びＲ２は、
それぞれ独立して、エーテルの酸素、チオエーテルの硫黄、又は第三級アミンの窒素の形態でヘテロ原子を有していてもよい、１〜１２個のＣ原子を有するアルキル基を表し；
又は
それらが合わさって、エーテルの酸素、チオエーテルの硫黄、又は第三級アミンの窒素の形態でヘテロ原子を有していてもよい、２〜１２個のＣ原子を有するアルキレン基を表し；
Ｒ３は、芳香族部分を有していてもよく、１個以上のヘテロ原子を有していてもよい、１〜１２個のＣ原子を有する直鎖若しくは分岐鎖のアルキレン基又はシクロアルキレン基を表し；
Ｒ４は、１〜６個のＣ原子を有するアルキル基を表し；
Ｒ５は、エーテルの酸素を有していてもよい、１〜１０個のＣ原子を有するアルキル基を表し；
Ｒ６は、４〜１６個のＣ原子を有する二価の炭化水素基を表わし；かつ
ｘは、０又は１を表す）。
【請求項１２】
請求項１〜８のいずれか一項に記載のポリマーの少なくとも１種と、追加成分とを含む、水分硬化性組成物。
【請求項１３】
弾性接着剤及び／又は弾性シーラントとしての、請求項１２に記載の水分硬化性組成物の使用。
【請求項１４】
請求項１２に記載の組成物と水分とを用いて硬化させて得られる、硬化した組成物。